(57)【要約】      （修正有）【課題】布地における悪臭を制御し、ｐＨ調整／制御効果を有する洗濯洗剤組成物を含有する水溶性単位用量物品の提供。【解決手段】水溶性フィルムと洗濯洗剤組成物とを含む水溶性単位用量物品であって、前記洗濯洗剤組成物が下式のオリゴアミン又はその塩を含む水溶性単位用量物品。2020029556.tif 000011（式中、各Ｌは、独立して、−（ＣｍＨ２ｍ）−であり、添え字ｍは、各Ｌについて独立して、２〜６、好ましくは２〜３、最も好ましくは２の整数であり、ｎは、１〜１０、好ましくは１〜５、より好ましくは１〜３、最も好ましくは１〜２の整数であり、Ｒ１〜Ｒ５のそれぞれは、独立して、Ｈ及びＣ１〜Ｃ４アルキルから選択され、好ましくはＨ及びメチルから選択され、より好ましくはＨである）【選択図】なし【特許請求の範囲】
【請求項１】
水溶性フィルムと洗濯洗剤組成物とを含む水溶性単位用量物品であって、前記洗濯洗剤組成物がオリゴアミン又はその塩を含み、前記オリゴアミンが、以下の式；
【化１】
2020029556.tif 000010
（式中、
各Ｌは、独立して、−（ＣｍＨ２ｍ）−であり、添え字ｍは、各Ｌについて独立して、２〜６、好ましくは２〜３、最も好ましくは２の整数であり、
ｎは、１〜１０、好ましくは１〜５、より好ましくは１〜３、最も好ましくは１〜２の整数であり、
Ｒ１〜Ｒ５のそれぞれは、独立して、Ｈ及びＣ１〜Ｃ４アルキルから選択され、好ましくはＨ及びメチルから選択され、より好ましくはＨである）を有する、水溶性単位用量物品。
【請求項２】
前記オリゴアミンが、１００Ｄａ〜１２００Ｄａ、好ましくは１００Ｄａ〜９００Ｄａ、より好ましくは１００Ｄａ〜６００Ｄａ、更により好ましくは１００Ｄａ〜４００Ｄａ、更により好ましくは１００Ｄａ〜２５０Ｄａ、更により好ましくは１００Ｄａ〜２００Ｄａ、より好ましくは１００Ｄａ〜１５０Ｄａの分子量を有する、請求項１に記載の水溶性単位用量物品。
【請求項３】
前記オリゴアミンが、ジエチレントリアミン（ＤＥＴＡ）、４−メチルジエチレントリアミン（４−ＭｅＤＥＴＡ）、ジプロピレントリアミン（ＤＰＴＡ）、５−メチルジプロピレントリアミン（５−ＭｅＤＰＴＡ）、トリエチレンテトラアミン（ＴＥＴＡ）、４−メチルトリエチレンテトラアミン（４−ＭｅＴＥＴＡ）、４，７−ジメチルトリエチレンテトラアミン（４，７−Ｍｅ２ＴＥＴＡ）、１，１，４，７，７−ペンタメチルジエチレントリアミン（Ｍ５−ＤＥＴＡ）、トリプロピレンテトラアミン（ＴＰＴＡ）、テトラエチレンペンタアミン（ＴＥＰＡ）、テトラプロピレンペンタアミン（ＴＰＰＡ）、ペンタエチレンヘキサアミン（ＰＥＨＡ）、ペンタプロピレンヘキサアミン（ＰＰＨＡ）、ヘキサエチレンヘプタアミン（ＨＥＨＡ）、ヘキサプロピレンヘプタアミン（ＨＰＨＡ）、Ｎ，Ｎ’−ビス（３−アミノプロピル）エチレンジアミン、及びこれらの混合物から選択され、好ましくは、ジエチレントリアミン（ＤＥＴＡ）、４−メチルジエチレントリアミン（４−ＭｅＤＥＴＡ）、１，１，４，７，７−ペンタメチルジエチレントリアミン（Ｍ５−ＤＥＴＡ）、トリエチレンテトラミン（ＴＥＴＡ）、テトラエチレンペンタアミン（ＴＥＰＡ）、Ｎ，Ｎ’−ビス（３−アミノプロピル）エチレンジアミン、及びこれらの混合物、更により好ましくは、ジエチレントリアミン（ＤＥＴＡ）、４−メチルジエチレントリアミン（４−ＭｅＤＥＴＡ）、Ｎ，Ｎ’−ビス（３−アミノプロピル）エチレンジアミン、及びこれらの混合物から選択され、最も好ましくはジエチレントリアミン（ＤＥＴＡ）である、請求項１又は２に記載の水溶性単位用量物品。
【請求項４】
前記オリゴアミンが、前記オリゴアミンの少なくとも８０重量％、好ましくは少なくとも９０重量％、より好ましくは少なくとも９５重量％、最も好ましくは１００重量％のジエチレントリアミン（ＤＥＴＡ）を含む、請求項３に記載の水溶性単位用量物品。
【請求項５】
前記洗濯洗剤組成物が、前記洗濯洗剤組成物の０．０１重量％〜５重量％、好ましくは０．０３重量％〜１重量％、更により好ましくは０．０５重量％〜０．５重量％、最も好ましくは０．０５重量％〜０．２重量％の前記オリゴアミンを含む、請求項１〜４のいずれか一項に記載の水溶性単位用量物品。
【請求項６】
前記洗濯洗剤組成物が非石鹸界面活性剤を含み、前記非石鹸界面活性剤が、好ましくは、非石鹸アニオン性界面活性剤、非イオン性界面活性剤、又はこれらの混合物から選択され、好ましくは、前記洗濯洗剤組成物が、前記洗濯洗剤組成物の１０重量％〜６０重量％、より好ましくは２０重量％〜５５重量％の前記非石鹸界面活性剤を含む、請求項１〜５のいずれか一項に記載の水溶性単位用量物品。
【請求項７】
前記非石鹸アニオン性界面活性剤が、直鎖状アルキルベンゼンスルホネート、アルコキシル化アルキルサルフェート、アルキルサルフェート、又はこれらの混合物を含み、より好ましくは、前記直鎖状アルキルベンゼンスルホネートの前記アルコキシル化アルキルサルフェートに対する重量比が、１：２〜２０：１、好ましくは１．１：１〜１５：１、より好ましくは１．２：１〜１０：１、更により好ましくは１．３：１〜５：１、最も好ましくは１．４：１〜３：１であるこれらの混合物を含み、好ましくは、前記洗濯洗剤組成物が、前記洗剤組成物の５重量％〜５０重量％、好ましくは１５重量％〜４５重量％、より好ましくは２５重量％〜４０重量％、最も好ましくは３０重量％〜４０重量％の前記非石鹸アニオン性界面活性剤を含む、請求項６に記載の水溶性単位用量物品。
【請求項８】
前記洗濯洗剤組成物が、前記洗濯洗剤組成物の０重量％〜１０重量％、好ましくは０．０１重量％〜８重量％、より好ましくは０．１重量％〜６重量％、最も好ましくは０．１５重量％〜４重量％の非イオン性界面活性剤を含み、好ましくは、前記非イオン性界面活性剤が、アルコールアルコキシレート、オキソ合成アルコールアルコキシレート、ゲルベアルコールアルコキシレート、アルキルフェノールアルコールアルコキシレート、又はこれらの混合物から選択される、請求項６又は７に記載の水溶性単位用量物品。
【請求項９】
前記洗濯洗剤組成物の１．５重量％〜２０重量％、より好ましくは２重量％〜１５重量％、更により好ましくは３重量％〜１０重量％、最も好ましくは４重量％〜８重量％の石鹸、好ましくは脂肪酸塩、より好ましくはアミン中和された脂肪酸塩を含み、好ましくは、前記アミンが、アルカノールアミン、より好ましくは、モノエタノールアミン、ジエタノールアミン、トリエタノールアミン、又はこれらの混合物から選択され、より好ましくはモノエタノールアミンである、請求項１〜８のいずれか一項に記載の水溶性単位用量物品。
【請求項１０】
前記洗濯洗剤組成物が、カチオン性ポリマー、ポリエステルテレフタレート、両親媒性グラフトコポリマー、カルボキシメチルセルロース、酵素、香料、カプセル化香料、漂白剤、又はこれらの混合物を含むリストから選択される成分を含む、請求項１〜９のいずれか一項に記載の水溶性単位用量物品。
【請求項１１】
前記洗濯洗剤組成物がキレート剤を含み、前記キレート剤が、好ましくは、ホスホネート、アミノカルボキシレート、アミノホスホネート、多官能置換された芳香族キレート剤、又はこれらの混合物から、より好ましくは、ＤＴＰＡ（ジエチレントリアミン五酢酸）、ＨＥＤＰ（ヒドロキシエタンジホスホン酸）、ＥＤＤＳ（エチレンジアミン二コハク酸（ＥＤＤＳ）、ＤＴＰＭＰ（ジエチレントリアミンペンタ（メチレンホスホン酸））、ＥＤＴＭＰ（エチレンジアミンテトラ（メチレンホスホン酸））、Ｔｉｒｏｎ（登録商標）（１，２−ジヒドロキシベンゼン−３，５−ジスルホン酸）、ＨＰＮＯ（２−ピリジノール−Ｎ−オキシド）、ＭＧＤＡ（メチルグリシン二酢酸）、ＧＬＤＡ（グルタミン酸−Ｎ，Ｎ−二酢酸）、これらの任意の好適な誘導体、これらの塩、及びこれらの混合物から選択される追加のキレート剤から選択される、請求項１〜１０のいずれか一項に記載の水溶性単位用量物品。
【請求項１２】
酸化防止剤、好ましくはヒンダードフェノールを含む酸化防止剤を含む、請求項１〜１１のいずれか一項に記載の水溶性単位用量物品。
【請求項１３】
前記洗濯洗剤組成物が液体洗濯洗剤組成物であり、前記液体洗濯洗剤組成物が、６〜１０、より好ましくは６．５〜８．９、最も好ましくは７〜８のｐＨを有し、前記液体洗濯洗剤組成物の前記ｐＨが、２０℃で脱塩水中の１０％希釈物として測定される、請求項１〜１２のいずれか一項に記載の水溶性単位用量物品。
【請求項１４】
前記水溶性フィルムが、ポリビニルアルコールポリマー又はコポリマー、好ましくは、ポリビニルアルコールポリマー及び／又はポリビニルアルコールコポリマーのブレンドを含み、好ましくは、スルホン化及びカルボキシル化アニオン性ポリビニルアルコールコポリマー、特に、カルボキシル化アニオン性ポリビニルアルコールコポリマーから選択され、最も好ましくは、ポリビニルアルコールホモポリマーとカルボキシル化アニオン性ポリビニルアルコールコポリマーとのブレンドを含む、請求項１〜１３のいずれか一項に記載の水溶性単位用量物品。
【請求項１５】
洗浄操作後の布地における悪臭を低減するための、請求項１〜１４のいずれか一項に記載の水溶性単位用量物品の使用であって、１００〜３０００倍、３００〜９００倍に水で希釈された前記水溶性単位用量物品から形成された洗浄液中で前記布地を洗浄する、使用。
【発明の詳細な説明】
【技術分野】
【０００１】
本発明は、オリゴアミン又はその塩を有する洗濯洗剤組成物を含有する水溶性単位用量物品、及び当該水溶性単位用量物品の使用に関する。
【背景技術】
【０００２】
水溶性単位用量物品は、使用するのが便利かつ効率的であるため、消費者に好まれている。このような水溶性単位用量物品は、洗濯洗剤組成物を含むことが多い。
【０００３】
単位用量物品のコンパクトな性質から、洗濯洗剤組成物に様々な成分を配合するために利用可能な空間は有限である。いくつかの成分は、洗濯洗剤組成物で洗浄される布地に対して消費者が知覚可能な効果を提供するのに必要な、いわゆる活性成分である。所望の活性成分としては、布地に残る悪臭を低減することができるものが挙げられる。場合によっては、洗浄プロセス後であっても、特定の悪臭が布地に残る場合がある。一部の消費者にとっては、それは布地がまだ汚れているか又は十分に洗浄されていないのと同じことであり得る。
【０００４】
しかしながら、一部の成分は、洗濯洗剤組成物の安定性を維持する、いわゆる非活性成分、例えば、正確なｐＨを調節するために必要な成分である。
【発明の概要】
【発明が解決しようとする課題】
【０００５】
所望の消費者利益を提供するが、相、化学、ｐＨ、及びフィルム安定性を含む他の効果又は製品安定性を最小化することのない新規成分を配合する必要性が継続して存在する。加えて、単位用量物品のサイズが制限されていることから、新規成分が必要とする配合空間は最小限であることが好ましい。
【０００６】
驚くべきことに、水溶性洗濯単位用量物品にオリゴアミンを配合すると、特に処方中非常に低い濃度で、布地における悪臭を制御する効果をもたらし、また洗濯洗剤組成物にｐＨ調整／制御効果をもたらすことが見出された。
【課題を解決するための手段】
【０００７】
本発明の第１の態様は、水溶性フィルムと洗濯洗剤組成物とを含む水溶性単位用量物品であって、洗濯洗剤組成物がオリゴアミン又はその塩を含み、オリゴアミンが、以下の式；
【０００８】
【化１】
2020029556.tif 000002
（式中、
各Ｌは、独立して、−（ＣｍＨ２ｍ）−であり、添え字ｍは、各Ｌについて独立して、２〜６、好ましくは２〜３、最も好ましくは２の整数であり、
ｎは、１〜１０、好ましくは１〜５、より好ましくは１〜３、更に最も好ましくは１〜２の整数であり、
Ｒ１〜Ｒ５のそれぞれは、独立して、Ｈ及びＣ１〜Ｃ４アルキルから選択され、好ましくはＨ及びメチルから選択され、より好ましくはＨである）を有する、水溶性単位用量物品である。
【０００９】
本発明の第２の態様は、洗浄操作後の布地における悪臭を低減するための、本発明に係る水溶性単位用量物品の使用であって、１００〜３０００倍、好ましくは３００〜９００倍に水で希釈された水溶性単位用量物品から形成された洗浄液中で布地を洗浄する、使用である。
【図面の簡単な説明】
【００１０】
【図１】本発明による水溶性単位用量物品である。
【発明を実施するための形態】
【００１１】
水溶性単位用量物品
本発明は、水溶性フィルムと洗濯洗剤組成物とを含む、水溶性単位用量物品に関する。水溶性フィルムについて、以下でより詳細に説明する。洗濯洗剤組成物について、以下により記載に説明する。
【００１２】
水溶性単位用量物品は、単位用量物品が水溶性フィルムによって囲まれた少なくとも１つの内部区画を含むような形状の少なくとも１つの水溶性フィルムを含む。少なくとも１つの区画が、洗濯洗剤組成物を含む。水溶性フィルムは、保管中に洗濯洗剤組成物が区画から漏れ出さないように密封される。しかしながら、水溶性単位用量物品を水に添加すると、水溶性フィルムが溶解して、内部区画の内容物が洗浄液中に放出される。
【００１３】
区画は、洗濯洗剤組成物を保持する、単位用量物品内の密閉された内部空間を意味すると理解されるべきである。好ましくは、単位用量物品は、水溶性フィルムを含む。単位用量物品は、水溶性フィルムが洗濯洗剤組成物を完全に取り囲み、そうすることによって洗濯洗剤組成物の入っている区画を画定するように製造される。単位用量物品は、２枚のフィルムを含み得る。第１のフィルムは、洗濯洗剤組成物が添加される開口区画を含むような形状であってよい。次いで、第２のフィルムは、区画の開口部を閉じる配向で、第１のフィルムを覆う。次いで、第１及び第２のフィルムは、封止領域に沿って共に封止される。フィルムについて、以下でより詳細に記載する。
【００１４】
単位用量物品は、２つ以上の区画、更には少なくとも２つの区画、又は更には少なくとも３つの区画を含んでよい。区画は、重ね合わせる配向で、即ち、一方が他方の上に位置するように配置されてよい。代替的に、区画は、平行した配向で、即ち、一方が他方に隣接する配向で位置してよい。区画は、更には「タイヤ及びリム」配置での配向であってよく、即ち、第１の区画は、第２の区画に隣接して位置するが、第１の区画は、第２の区画を少なくとも部分的に取り囲み、第２の区画を完全には囲まない。代替的に、一方の区画が、他方の区画内に完全に囲まれていてもよい。
【００１５】
単位用量物品が少なくとも２つの区画を含む場合、区画の一方が他方の区画より小さくてもよい。単位用量物品が少なくとも３つの区画を含む場合、区画のうちの２つが第３の区画より小さくてもよく、好ましくは、小さい方の区画が大きい方の区画上に重ね合わせられている。重ね合わせられた区画は、好ましくは、隣り合って配向される。
【００１６】
複数区画の配向において、本発明による洗濯洗剤組成物が、区画の少なくとも１つに含まれてもよい。例えば、洗濯洗剤組成物は１つの区画のみに含まれてもよく、あるいは２つの区画、又は更には３つの区画に含まれてもよい。
【００１７】
各区画は、同一の組成物又は異なる組成物を含んでもよい。異なる組成物は全て同一形態であってもよい、又は異なる形態であってもよい。
【００１８】
理論に束縛されるものではないが、単位用量物品のコンパクトな性質から、洗濯洗剤組成物に様々な成分を配合するために利用可能な空間は有限である。効果をもたらすには、成分の添加を必要とする場合が多く、当該成分の添加は、利用可能な空間が有限であることから、別の成分にとって有害である。驚くべきことに、水溶性洗濯単位用量物品にオリゴアミンを配合すると、特に処方中低い使用濃度で、布地における悪臭を制御する効果をもたらし、また洗濯洗剤組成物にｐＨ調整／制御効果をもたらすことが見出された。
【００１９】
水溶性フィルム
本発明のフィルムは、水溶性又は水分散性である。好ましくは、水溶性フィルムの厚さは、２０μｍ〜１５０μｍ、好ましくは３５μｍ〜１２５μｍ、更により好ましくは５０μｍ〜１１０μｍ、最も好ましくは約７６μｍである。
【００２０】
好ましくは、最大孔径が２０μｍのガラスフィルタの使用後に、本明細書に記載の方法によって測定したフィルムの水溶性は、少なくとも５０％、好ましくは少なくとも７５％、又は更には少なくとも９５％である。
【００２１】
予め秤量した３Ｌのビーカーに、５グラム±０．１グラムのフィルム材料を添加し、２Ｌ±５ｍＬの蒸留水を添加する。これを、電磁攪拌器（Ｌａｂｌｉｎｅモデル番号１２５０又は等価物）及び５ｃｍの電磁攪拌子により、３０℃にて３０分間、６００ｒｐｍで激しく攪拌する。次いで、混合物を、上記で定義した孔径（最大２０μｍ）の折り畳んだ定性分析用焼結ガラスフィルタにより濾過する。任意の従来の方法によって、回収した濾液から水を乾燥させ、残った材料の重量を求める（これが溶解画分又は分散画分である）。次いで、溶解度又は分散性の百分率を計算することができる。
【００２２】
好ましいフィルム材料は、好ましくはポリマー材料である。フィルム材料を、当該技術分野において公知の、例えば、ポリマー材料の注型成形、吹込成形、押出成形又は吹込押出成形によって得ることができる。
【００２３】
パウチ材料として使用するのに好適な好ましいポリマー、コポリマー又はそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。
【００２４】
好ましくは、水溶性フィルムは、ポリビニルアルコールポリマー又はコポリマー、好ましくは、ポリビニルアルコールポリマー及び／又はポリビニルアルコールコポリマーのブレンドを含み、好ましくは、スルホン化及びカルボキシル化アニオン性ポリビニルアルコールコポリマー、特にカルボキシル化アニオン性ポリビニルアルコールコポリマーから選択され、最も好ましくは、ポリビニルアルコールホモポリマーとカルボキシル化アニオン性ポリビニルアルコールコポリマーのブレンドを含む。
【００２５】
好ましいフィルムは、冷水、すなわち、加熱されていない蒸留水中で良好な溶解を呈するものである。好ましくは、このようなフィルムは、２４℃、更により好ましくは１０℃の温度で良好な溶解を呈する。良好な溶解とは、上述の最大孔径が２０μｍのガラスフィルタの使用後に、本明細書に記載の方法により測定したフィルムの呈する水溶性が、少なくとも５０％、好ましくは少なくとも７５％、又は更には少なくとも９５％であることを意味する。
【００２６】
好ましいフィルムには、Ｍｏｎｏｓｏｌによって商品参照番号Ｍ８６３０、Ｍ８９００、Ｍ８７７９、Ｍ８３１０として供給されているものがある。
【００２７】
フィルムは、不透明、透明又は半透明であってもよい。フィルムは、印刷された領域を含んでもよい。
【００２８】
印刷領域は、フレキソ印刷又はインクジェット印刷などの標準的な技術を使用して得ることができる。
【００２９】
フィルムは、嫌悪剤、例えば苦味剤を含んでもよい。好適な苦味剤としては、ナリンギン、サッカロースオクタアセテート、塩酸キニーネ、デナトニウムベンゾエート、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又は更には２５０〜２０００ｒｐｍが挙げられるが、これらに限定されない。
【００３０】
洗濯洗剤組成物
水溶性単位用量物品は、洗濯洗剤組成物を含む。
【００３１】
洗濯洗剤組成物は、好ましくは、粉末、液体、又はこれらの混合物であり、好ましくは液体である。
【００３２】
「液体洗濯洗剤組成物」という用語は、布地を濡らし、処理することが可能な液体を含む、任意の洗濯洗剤組成物を指し、限定するものではないが、液体、ゲル、ペースト、分散液などが挙げられる。液体組成物は、好適に細分された形態の固体又は気体を含み得るが、液体組成物は、錠剤又は顆粒などの、全体として非流動性である形態を除外する。
【００３３】
本明細書において粉末とは、洗濯洗剤組成物が固体粒子を含んでいてもよく、又は単一の均質な固体であってもよいことを意味する。好ましくは、粉末洗濯洗剤組成物は、粒子を含む。このことは、固体が単一の均質な固体であるのとは対照的に、粉末洗濯洗剤組成物が個々の固体粒子を含むことを意味する。粒子は、自由流動性であってもよく、又は圧縮されてもよく、好ましくは自由流動性である。
【００３４】
洗濯洗剤組成物は、布地手洗い操作に使用することもでき、又は自動洗濯機での布地洗浄操作に使用することもできる。
【００３５】
洗濯洗剤組成物は、オリゴアミン又はその塩を含む。オリゴアミン又はその塩については、以下により詳細に記載する。
【００３６】
好ましくは、洗濯洗剤組成物は、洗濯洗剤組成物の０．０１重量％〜５重量％、より好ましくは０．０３重量％〜１重量％、最も好ましくは０．０５重量％〜０．５重量％のオリゴアミンを含む。オリゴアミンの重量パーセントは、ポリマーの非塩塩基形態、換言すれば、非プロトン化形態の重量パーセントである。
【００３７】
洗濯洗剤組成物は、好ましくは、非石鹸界面活性剤を含む。より好ましくは、非石鹸界面活性剤は、非石鹸アニオン性界面活性剤、非イオン性界面活性剤、又はこれらの混合物から選択される。洗濯洗剤組成物は、好ましくは、洗濯洗剤組成物の１５重量％〜６０重量％、より好ましくは２０重量％〜５５重量％の非石鹸界面活性剤を含む。
【００３８】
好ましくは、アニオン性非石鹸界面活性剤は、直鎖状アルキルベンゼンスルホネート、アルキルサルフェート、アルコキシル化アルキルサルフェート、又はこれらの混合物を含む。好ましくは、アルコキシル化アルキルサルフェートは、エトキシル化アルキルサルフェートである。
【００３９】
好ましくは、洗濯洗剤組成物は、洗剤組成物の５重量％〜５０重量％、好ましくは１５重量％〜４５重量％、より好ましくは２５重量％〜４０重量％、最も好ましくは３０重量％〜４０重量％の非石鹸アニオン性界面活性剤を含む。
【００４０】
好ましくは、非石鹸アニオン性界面活性剤は、直鎖状アルキルベンゼンスルホネート及びアルコキシル化アルキルサルフェートを含み、直鎖状アルキルベンゼンスルホネートのアルコキシル化アルキルサルフェートに対する比、好ましくは、直鎖状アルキルベンゼンスルホネートのエトキシル化アルキルサルフェートに対する重量比は、好ましくは、１：２〜２０：１、好ましくは１．１：１〜１５：１、より好ましくは１．２：１〜１０：１、更により好ましくは１．３：１〜５：１、最も好ましくは１．４：１〜３：１である。
【００４１】
好ましくは、洗濯洗剤組成物は、洗濯洗剤組成物の０重量％〜１０重量％、好ましくは０．０１重量％〜８重量％、より好ましくは０．１重量％〜６重量％、最も好ましくは０．１５重量％〜４重量％の非イオン性界面活性剤を含む。非イオン性界面活性剤は、好ましくは、アルコールアルコキシレート、オキソ合成アルコールアルコキシレート、ゲルベアルコールアルコキシレート、アルキルフェノールアルコールアルコキシレート、又はこれらの混合物から選択される。
【００４２】
好ましくは、洗濯、好ましくは液体洗濯洗剤組成物は、洗濯洗剤組成物の１．５重量％〜２０重量％、より好ましくは２重量％〜１５重量％、更により好ましくは３重量％〜１０重量％、最も好ましくは４重量％〜８重量％の石鹸、好ましくは、脂肪酸塩、より好ましくは、アミン中和された脂肪酸塩を含み、好ましくは、アミンは、アルカノールアミンであり、より好ましくは、モノエタノールアミン、ジエタノールアミン、トリエタノールアミン、又はこれらの混合物から選択され、より好ましくは、モノエタノールアミンである。
【００４３】
洗濯洗剤組成物は、好ましくは、カチオン性ポリマー、ポリエステルテレフタレート、両親媒性グラフトコポリマー、カルボキシメチルセルロース、酵素、香料、カプセル化香料、漂白剤、又はこれらの混合物を含むリストから選択される成分を含む。理論に束縛されるものではないが、これら材料を更に添加すると、悪臭低減を更に促進することができると考えられる。
【００４４】
洗濯洗剤組成物は、補助成分を含んでいてもよく、補助成分は、非水性溶媒、水、色相染料、審美染料、酵素、洗浄ポリマー、脂肪酸のようなビルダー、漂白剤、分散剤、移染阻害剤ポリマー、蛍光増白剤、乳白剤、消泡剤、又はこれらの混合物から選択される。
【００４５】
好ましくは、洗濯洗剤組成物はキレート剤を含み、キレート剤は、好ましくは、ホスホネート、アミノカルボキシレート、アミノホスホネート、多官能置換された芳香族キレート剤、又はこれらの混合物から、より好ましくは、ＤＴＰＡ（ジエチレントリアミン五酢酸）、ＨＥＤＰ（ヒドロキシエタンジホスホン酸）、ＥＤＤＳ（エチレンジアミン二コハク酸（ＥＤＤＳ）、ＤＴＰＭＰ（ジエチレントリアミンペンタ（メチレンホスホン酸））、ＥＤＴＭＰ（エチレンジアミンテトラ（メチレンホスホン酸））、Ｔｉｒｏｎ（登録商標）（１，２−ジヒドロキシベンゼン−３，５−ジスルホン酸）、ＨＰＮＯ（２−ピリジノール−Ｎ−オキシド）、ＭＧＤＡ（メチルグリシン二酢酸）、ＧＬＤＡ（グルタミン酸−Ｎ，Ｎ−二酢酸）、これらの任意の好適な誘導体、これらの塩、及びこれらの混合物から選択される追加のキレート剤から選択される。
【００４６】
洗濯洗剤組成物は、酸化防止剤を含んでいてよい。理論に束縛されるものではないが、酸化防止剤は、特に本開示のオリゴアミンと組み合わせて、組成物の悪臭制御及び／又はクリーニング性能を改善するのに役立ち得ると考えられる。また、酸化防止剤は、アミンに関連する場合がある黄変を低減するのにも役立ち得るので、アミンを比較的高濃度で配合することが可能になる。
【００４７】
洗濯洗剤組成物は、洗濯洗剤組成物の０．００１重量％〜２重量％、好ましくは０．０１重量％〜０．５重量％の量のヒンダードフェノール酸化防止剤を含んでいてよい。
【００４８】
好適な酸化防止剤としては、以下の一般式：
【００４９】
【化２】
2020029556.tif 000003
（式中、Ｒは、それぞれ、（１）所望により、その中に１つ以上のエステル（−ＣＯ２−）又はエーテル（−Ｏ−）結合を有し、かつ（２）所望により、ＥＯ（エトキシ）、ＰＯ（プロポキシ）、ＢＯ（ブトキシ）、及びこれらの混合物から、より好ましくはＥＯ単独又はＥＯ／ＰＯ混合物から選択されるアルキレンオキシ又はポリアルキレンオキシ基を含む有機基によって置換されている、Ｃ１〜Ｃ２２直鎖状アルキル又はＣ３〜Ｃ２２分枝状アルキルであり、Ｒは、好ましくは、メチル、分枝状Ｃ３〜Ｃ６アルキル、又はＣ１〜Ｃ６アルコキシ、好ましくはメトキシであってよく、Ｒ１は、Ｃ３〜Ｃ６分枝鎖アルキル、好ましくはｔｅｒｔ−ブチルであり、ｘは、１又は２である）を有するアルキル化フェノールを挙げることができる。
【００５０】
この式を有するアルキル化フェノールの好ましい種類としては、ヒンダードフェノール化合物を挙げることができる。本明細書で使用するとき、用語「ヒンダードフェノール」は、（ａ）少なくとも１つのフェノール−ＯＨ基に対してオルト位に結合している少なくとも１つのＣ３以上の分枝状アルキル、好ましくはＣ３〜Ｃ６分枝状アルキル、好ましくはｔｅｒｔ−ブチル、あるいは（ｂ）少なくとも１つのフェノール−ＯＨ基に対してそれぞれオルト位に結合しているＣ１〜Ｃ６アルコキシ、好ましくはメトキシ、Ｃ１〜Ｃ２２直鎖状アルキル、若しくはＣ３〜Ｃ２２分枝状アルキル、好ましくはメチル若しくは分枝状Ｃ３〜Ｃ６アルキル、又はこれらの混合物からなる群から独立して選択される置換基のいずれかを有する、フェノール基を含む化合物を指すために使用される。フェニル環が１つを超える−ＯＨ基を含む場合、化合物は、少なくとも１つのこのような−ＯＨ基が直上に記載されているように置換されている限りヒンダードフェノールである。上記構造中の任意のＲ基が３つ以上の連続するモノマーを含む場合、酸化防止剤は、本明細書において「ポリマーヒンダードフェノール酸化防止剤」と定義される。本開示に係る組成物は、ヒンダードフェノール酸化防止剤を含んでいてよい。好ましいヒンダードフェノール酸化防止剤としては、３，５−ジ−ｔｅｒｔ−ブチル−４−ヒドロキシトルエン（ＢＨＴ）が挙げられる。
【００５１】
組成物に使用するのに好適であり得るヒンダードフェノール酸化防止剤の更なる分類は、以下の式：
【００５２】
【化３】
2020029556.tif 000004
（式中、Ｒ１及びＲ２は、それぞれ独立して、アルキルであるか、又はＲ１及びＲ２は一緒になってＣ５〜Ｃ６環状ヒドロカルビル部分を形成してもよく、Ｂは、存在しないか又はＣＨ２であり、Ｒ４は、Ｃ１〜Ｃ６アルキルであり、Ｒ５は、水素又は−Ｃ（Ｏ）Ｒ３であり、Ｒ３は、水素又はＣ１〜Ｃ１９アルキルであり、Ｒ６は、Ｃ１〜Ｃ６アルキルであり、Ｒ７は、水素又はＣ１〜Ｃ６アルキルであり、Ｘは、−ＣＨ２ＯＨ又は−ＣＨ２Ａであり、Ａは、窒素含有単位、フェニル、又は置換フェニルである）を有するベンゾフラン又はベンゾピラン誘導体である。好ましい窒素含有Ａ単位としては、アミノ、ピロリジノ、ピペリジノ、モルホリノ、ピペラジノ、及びこれらの混合物が挙げられる。
【００５３】
好適なヒンダードフェノール酸化防止剤としては、２，６−ビス（１，１−ジメチルエチル）−４−メチル−フェノール、３，５−ビス（１，１−ジメチルエチル）−４−ヒドロキシ−ベンゼンプロパン酸，メチルエステル、３，５−ビス（１，１−ジメチルエチル）−４−ヒドロキシベンゼンプロパン酸，オクタデシルエステル、又はこれらの混合物を挙げることができる。
【００５４】
好適であり得る市販の酸化防止剤としては、ＢＨＴ、ＲＡＬＯＸ  ３５（商標）、及び／又はＴＩＮＯＧＡＲＤ  ＴＳ（商標）が挙げられる。
【００５５】
追加の酸化防止剤を使用してもよい。組成物に用いるのに好適な酸化防止剤の例としては、α−，β−，γ−，δ−トコフェロール、エトキシクリン、２，２，４−トリメチル−１，２−ジヒドロキノリン、２，６−ジ−ｔｅｒｔ−ブチルヒドロキノン、ｔｅｒｔ−ブチルヒドロキシアニソール、リグノスルホン酸及びその塩、並びにこれらの混合物からなる群が挙げられるが、これらに限定されない。エトキシキン（１，２−ジヒドロ−６−エトキシ−２，２，４−トリメチルキノリン）は、Ｒａｓｃｈｉｇ（商標）社によりＲａｌｕｑｕｉｎ（商標）という名称で販売されていることに留意されたい。組成物に使用することができる酸化防止剤の他の種類は、６−ヒドロキシ−２，５，７，８−テトラメチルクロマン−２−カルボン酸（Ｔｒｏｌｏｘ（商標））及び１，２−ベンズイソチアゾリン−３−オン（Ｐｒｏｘｅｌ  ＧＸＬ（商標））である。トコフェロールソルベート、ブチル化ヒドロキシル安息香酸及びその塩、没食子酸及びそのアルキルエステル、尿酸及びその塩、ソルビン酸及びその塩、並びにジヒドロキシフマル酸及びその塩などの酸化防止剤も有用であり得る。
【００５６】
非黄変ヒンダードフェノール酸化防止剤などの非黄変酸化防止剤の使用が好ましい場合もある。消費者体験において知覚可能な負の属性（例えば、布地への黄色副生成物の付着など）につながる場合、このような黄色副生成物を形成する酸化防止剤を回避してもよい。当業者は、使用する抗酸化物質の選択に関して詳細な情報を得た上で決定を行うことができる。
【００５７】
液体洗濯洗剤組成物は、好ましくは６〜１０、より好ましくは６．５〜８．９、最も好ましくは７〜８のｐＨを有し、液体洗濯洗剤組成物のｐＨは、２０℃で脱塩水中の１０％希釈物として測定される。
【００５８】
オリゴアミン
本発明に係る洗剤組成物は、オリゴアミン又はその塩を含む。本発明に係るオリゴアミンは、特定のアルキレン基を介して連結されているアミン官能基、好ましくは末端一級アミン及び内部二級アミン官能基を含み、以下の式；
【００５９】
【化４】
2020029556.tif 000005
（式中、
各Ｌは、独立して、−（ＣｍＨ２ｍ）−であり、添え字ｍは、各Ｌについて独立して、２〜６の整数であり、好ましくはｍは２〜３であり、最も好ましくはｍは２であり（例えば、エチレン基）、
ｎは、１〜１０（すなわち、トリアミン、テトラミン、ペンタミン、ヘキサミン、ヘプタミン）、好ましくは１〜５、より好ましくは１〜３、更に最も好ましくは１〜２、最も好ましくは１の整数であり、
Ｒ１〜Ｒ５のそれぞれは、独立して、Ｈ及びＣ１〜Ｃ４アルキル、好ましくはＨ及びメチル（すなわち、Ｃ１アルキル）から選択される）を特徴とする。
【００６０】
添え字ｍは、各Ｌについて独立して、２〜６の整数であり得、添え字ｍは、共通のＮ原子に直接連結されている２つのＬ基のそれぞれについて、２又は３、好ましくは２である。共通のＮ原子に隣接する２つのこのようなＬ基を有することにより、他のＬ基が比較的大きい場合であっても、改善された金属封鎖を促進すると考えられる。
【００６１】
Ｒ１〜Ｒ５のそれぞれは、Ｈであってよい。Ｒ５は、メチルであってよい。Ｒ５は、Ｈであってよい。Ｒ１及びＲ３の一方又は両方は、メチルであってよい。Ｒ１及びＲ３は、メチルであってよく、Ｒ２及びＲ４は、両方とも水素であってよい。Ｒ１〜Ｒ５のそれぞれは、メチルであってよい。最も好ましくは、Ｒ１〜Ｒ５のそれぞれは、Ｈである。
【００６２】
本組成物は、上記式（式中、Ｌ、ｍ、ｎ、及びＲ１〜Ｒ５は、上記のように定義されるが、ただし、ｎが１に等しい場合、Ｒ５は、Ｈ及び１〜１０個の炭素、又は１〜６個の炭素、又は１〜４個の炭素を有する部分から選択される）に係る構造を有するオリゴアミンを含んでいてよい。
【００６３】
本開示のオリゴアミンは、直鎖状オリゴアミンとみなすことができる。「直鎖状」とは、上記式によって表されるオリゴアミン骨格上にグラフト化された更なるアミン含有側鎖が存在しないことを意味する。しかしながら、直鎖状オリゴアミンは、少なくとも場合によっては、メチル基又はエチル基などのオリゴアミン骨格に結合しているアルキル基を有していてもよいことが理解される。
【００６４】
望ましい製品の種類及び／又は全体的な有益空間に応じて、配合者は、特に末端位置に一級、二級、及び／又は三級の窒素を有するオリゴアミンを選択することができる。理論に束縛されるものではないが、本オリゴアミン中の一級窒素の存在は、改善された悪臭制御効果をもたらし得ると考えられ、それは、改善されたキレート化効率及び／又は布地などの標的表面への配位に起因すると考えられる。また、理論に束縛されるものではないが、本オリゴアミン中の三級窒素は、処理組成物中の他の材料との相互作用、例えば、そうしないとシッフ塩基反応が生じ、その結果液体製品の色が変化し得る特定の香料材料との反応をより少なくし得ると考えられる。
【００６５】
好ましくは、オリゴアミンは、１００Ｄａ〜１２００Ｄａ、好ましくは１００Ｄａ〜９００Ｄａ、より好ましくは１００Ｄａ〜６００Ｄａ、更により好ましくは１００Ｄａ〜４００Ｄａ、更により好ましくは１００Ｄａ〜２５０Ｄａ、更により好ましくは１００Ｄａ〜２００Ｄａ、より好ましくは１００Ｄａ〜１５０Ｄａの分子量を有する。オリゴアミンの分子量は、ポリマーの非塩塩基形態、換言すれば、非プロトン化形態の重量パーセントである。
【００６６】
好ましくは、オリゴアミンは、ジエチレントリアミン（ＤＥＴＡ）、４−メチルジエチレントリアミン（４−ＭｅＤＥＴＡ）、ジプロピレントリアミン（ＤＰＴＡ）、５−メチルジプロピレントリアミン（５−ＭｅＤＰＴＡ）、トリエチレンテトラアミン（ＴＥＴＡ）、４−メチルトリエチレンテトラアミン（４−ＭｅＴＥＴＡ）、４，７−ジメチルトリエチレンテトラアミン（４，７−Ｍｅ２ＴＥＴＡ）、１，１，４，７，７−ペンタメチルジエチレントリアミン（Ｍ５−ＤＥＴＡ）、トリプロピレンテトラアミン（ＴＰＴＡ）、テトラエチレンペンタアミン（ＴＥＰＡ）、テトラプロピレンペンタアミン（ＴＰＰＡ）、ペンタエチレンヘキサアミン（ＰＥＨＡ）、ペンタプロピレンヘキサアミン（ＰＰＨＡ）、ヘキサエチレンヘプタアミン（ＨＥＨＡ）、ヘキサプロピレンヘプタアミン（ＨＰＨＡ）、Ｎ，Ｎ’−ビス（３−アミノプロピル）エチレンジアミン、又はこれらの混合物から選択される。
【００６７】
オリゴアミンは、好ましくは、ジエチレントリアミン（ＤＥＴＡ）、４−メチルジエチレントリアミン（４−ＭｅＤＥＴＡ）、１，１，４，７，７−ペンタメチルジエチレントリアミン（Ｍ５−ＤＥＴＡ）、ジプロピレントリアミン（ＤＰＴＡ）、５−メチルジプロピレントリアミン（５−ＭｅＤＰＴＡ）、トリエチレンテトラミン（ＴＥＴＡ）、トリプロピレンテトラアミン（ＴＰＴＡ）、テトラエチレンペンタアミン（ＴＥＰＡ）、テトラプロピレンペンタアミン（ＴＰＴＡ）、Ｎ，Ｎ’−ビス（３−アミノプロピル）エチレンジアミン、及びこれらの混合物、より好ましくは、ジエチレントリアミン（ＤＥＴＡ）、４−メチルジエチレントリアミン（４−ＭｅＤＥＴＡ）、Ｎ，Ｎ’−ビス（３−アミノプロピル）エチレンジアミン、トリエチレンテトラミン（ＴＥＴＡ）、テトラエチレンペンタアミン（ＴＥＰＡ）、Ｎ，Ｎ’−ビス（３−アミノプロピル）エチレンジアミン、及びこれらの混合物、更により好ましくは、ジエチレントリアミン（ＤＥＴＡ）、４−メチルジエチレントリアミン（４−ＭｅＤＥＴＡ）、Ｎ，Ｎ’−ビス（３−アミノプロピル）エチレンジアミン及びこれらの混合物、最も好ましくは、ジエチレントリアミン（ＤＥＴＡ）から選択され得る。分子量が低い及び／又は製造コストが比較的低いことから、ＤＥＴＡが好ましい場合がある。
【００６８】
オリゴアミンは、ジエチレントリアミン（「ＤＥＴＡ」（式中、ｍは２に等しく、ｎは１に等しく、Ｒ１〜Ｒ５のそれぞれはＨである））、又はアルキル化形態（例えば、Ｒ１〜Ｒ５のうちの１つ以上がメチルなどのアルキル基である）を含むその誘導体を含んでいてよい。オリゴアミンは、オリゴアミンの少なくとも８０重量％、又は更には少なくとも９０重量％、又は更には少なくとも９５重量％のジエチレントリアミン（ＤＥＴＡ）の形態を含んでいてよく、更により好ましくは、オリゴアミンはジエチレントリアミン（ＤＥＴＡ）の形態からなる。オリゴアミンは、ＤＥＴＡ、４−メチルＤＥＴＡ、１，１，４，７，７−ペンタメチルＤＥＴＡ、及びこれらの混合物から選択され得、好ましくはＤＥＴＡ（非アルキル化ジエチレントリアミン）である。
【００６９】
好ましくは、オリゴアミンは、オリゴアミンの少なくとも８０重量％、より好ましくは少なくとも９０重量％、更により好ましくは少なくとも９５重量％、最も好ましくは１００重量％のジエチレントリアミン（ＤＥＴＡ）を含む。
【００７０】
最終生成物又は洗浄溶液のｐＨに応じて、窒素原子は、（部分的に）プロトン化されてもよく、その結果、上記の式に係るオリゴアミンの塩形態が生じる。これらの（部分的に）プロトン化されたオリゴアミンも本発明の範囲の一部であるとみなされる。
【００７１】
当業者は、本開示に係るオリゴアミンを得る方法を理解しているであろう。例えば、上記の式に係るオリゴアミン（式中、Ｌは２に等しいｍを有する）は、アンモニア及びエチレンジクロリドを伴う反応、続いて、分留によって得ることができる。得られる一般的なオリゴアミンは、ジエチレントリアミン（ＤＥＴＡ）、トリエチレンテトラミン（ＴＥＴＡ）、及びテトラエチレンペンタミン（ＴＥＰＡ）である。適切なハロゲン二置換アルキレンの使用を介して、ｍが２〜６に等しい式Ｉに係る他のオリゴアミンを形成することができる。
【００７２】
ペンタミンよりも高級であると、すなわち、ヘキサン、ヘプタミン、オクタミン、及び場合によってはノナミンでは、共属由来の（cogenerically derived）混合物が蒸留によって分離するとは思われず、環状アミン、特にピペラジンなどの他の物質を含む場合がある。
【００７３】
本開示に係る好適なエチレン系オリゴアミンは、Ｄｏｗ、ＢＡＳＦ、Ｈｕｎｔｓｍａｎ、及びＡｋｚｏ  Ｎｏｂｅｌ  Ｃｏｒｐｏｒａｔｉｏｎｓを含む複数の化学供給元から市販されている。
【００７４】
好ましくは、洗濯洗剤組成物は、洗濯洗剤組成物の０．０１重量％〜５重量％、より好ましくは０．０３重量％〜１重量％、更により好ましくは０．０５重量％〜０．５重量％、最も好ましくは０．０５重量％〜０．２重量％のオリゴアミンを含む。理論に束縛されるものではないが、これらの好ましい範囲では、洗浄中の望ましくない布地の黄変が最小限に抑えられる。
【００７５】
使用
本発明の態様は、洗浄操作後の布地における悪臭を低減するための、本発明に係る水溶性単位用量物品の使用であって、１００〜３０００倍、好ましくは３００〜９００倍に水で希釈された水溶性単位用量物品から形成された洗浄液中で当該布地を洗浄する、使用である。
【００７６】
作製工程
当業者であれば、当該技術分野において既知の技術を使用して、本発明に係る水溶性単位用量物品及び洗濯洗剤組成物を作製する方法を理解しているであろう。
【００７７】
本明細書に開示される寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【実施例】
【００７８】
図１は、本発明による水溶性単位用量物品（１）を開示する。水溶性単位用量物品（１）は、第１の水溶性フィルム（２）と第２の水溶性フィルム（３）を含み、これらは密封領域（４）で共に封止されている。洗濯洗剤組成物（５）は、水溶性可溶性単位用量物品（１）内に含まれる。
【００７９】
悪臭除去洗浄試験
悪臭除去洗浄試験の目的は、フルスケール洗浄プロセスの終了時に洗濯物に存在する残留悪臭の量を低減／排除する一連の洗剤製剤の能力を交差比較することである。後続のフルスケールの洗浄スケールで洗浄される洗濯物に悪臭カクテルを塗布し、その後、乾燥した布地における残りの悪臭活性物質の量を、ＧＣ−ＭＳヘッドスペースＳＰＭＥ分析によって分析的に決定する。各製品を４つの異なる洗濯機で試験し、各洗濯機は、１６の悪臭トレーサー（したがって、合計６４個の複製物）を含み、個々の結果を平均し、報告する。
【００８０】
１）洗浄工程：
・洗濯機：高効率前側投入機（Ｄｕｅｔ９２００）
・洗浄サイクル：通常サイクル、洗浄サイクルにおいて１９．６Ｌの水、７ｇｐｇ、２５℃、３．９ｋｇの混合綿／ポリコットンバラスト負荷（５０×５０ｃｍニット布見本：１７綿／１２ポリコットン）、１６の悪臭トレーサー（２×５インチのポリコットン（５０／５０）布見本）
・洗浄製品：２５．４ｇの試験洗剤を含む１つの可溶性単位用量
【００８１】
２）乾燥工程：
・乾燥機：Ｍａｙｔａｇ  Ｄｏｕｂｌｅ  Ｓｔａｃｋ
・乾燥サイクル：６０〜６５℃で２０分（設定：低）−１６の洗浄した悪臭トレーサーを、４枚の清潔な乾燥したハンドタオルと共に
・保管：乾燥した布見本を、分析試験前に保管するためにヒートシーラーで封止したマイラーバッグ（評価まで布地を保管するために使用されるポリエステル樹脂コーティングされたアルミニウム袋）に入れる。
【００８２】
３）分析悪臭特性評価：
分析悪臭特性評価技術の背後にある原理は、悪臭成分の物性が、成分が低蒸気圧及び／又は低臭気検出閾値を有することを必要とするということである。これら特性を有することにより、悪臭をヘッドスペース内に分配することが可能になる。したがって、布地上のヘッドスペース測定を行って、布見本における悪臭の量を決定することができる。
【００８３】
固相マイクロ抽出（ＳＰＭＥ）プローブ及びＤＢ−ＦＦＡＰカラムＡｇｉｌｅｎｔ部品＃１２２−３２３２を備えるＧｅｒｓｔｅｌ  Ｍｕｌｔｉ−Ｐｕｒｐｏｓｅサンプラーと接続された、質量選別検出器（ＭＳＤ）（５９７７Ｂ）及びＣｈｅｍｓｔａｔｉｏｎ定量化パッケージを備えるＧａｓ  Ｃｈｒｏｍａｔｏｇｒａｐｈ  ７８９０Ｂを用いて、分析を実施する。Ｓｕｐｌｅｃｏ部品＃５７２９８−Ｕ（又は同様の繊維）からのジビニルベンゼン／Ｃａｒｂｏｘｅｎ／ポリジメチルシロキサンＳＰＭＥ繊維を使用する。
【００８４】
悪臭トレーサーを２”×２．５”片に切断し、１０ｍＬのヘッドスペースクリンプバイアル（Ｒｅｓｔｅｋ−部品＃２１１６５−２２１）内に入れる。ＧＣ−ＭＳヘッドスペースＳＰＭＥ分析の前に、トレーサーをバイアル内で１２時間平衡化させる。
【００８５】
ＧＣ／ＭＳパラメータ：
Ｇｅｒｓｔｅｌオートサンプラーパラメータ：
・ＳＰＭＥ：インキュベータから
・インキュベーション温度：８０℃
・インキュベーション時間：９０．００分
・サンプルトレーの種類：ＶＴ３２−１０
・バイアル浸透量：２２．００ｍｍ
・抽出時間：２０．００分
・注入浸透量：５４．００ｍｍ
・脱離時間：３００秒
ＧＣオーブンパラメータ
・フロントＳＳ入口Ｈｅ
■モードスプリット
■ヒータ：２５０℃
■圧力：１１．９６２ｐｓｉ
■全流速：７９．５ｍＬ／分
■セプタムパージ流：３ｍＬ／分
■スプリット比：５０：１
■ＧＣランタイム：２２．５分
■オーブン
■初期温度：４０℃
■保持時間：０分
■加熱プログラム
・速度：１２℃／分
・温度：２５０℃
・保持時間：５分
ＭＳＤパラメータ
・最小範囲が４０〜３５０ｍ／ｚであるスキャンモードで検出を実行する。定量化のための標的イオンは、最小で１種類のクオリファイアイオン、好ましくは２種類のクオリファイアイオンと共に、各悪臭成分について決定する。各成分について規定された標的及びクオリファイアイオンは、ＭＳＤ化合物ライブラリ又は標準に基づいていなければならない。
【００８６】
各悪臭材料について、鉱油中の標準物質から較正曲線を作成する。較正ヘッドスペース応答を利用して、試験サンプル中の各悪臭成分についての抽出イオン（ＥＩＣ）の積分をプロットするか又は記録し、複製物にわたって平均する。
【００８７】
ＡＢＳ−スクワレン（ＡＢＳ：人工身体汚れ）酸化マーカーを特異的に分析し、以下に示すデータに一緒に要約する。より具体的には、使用されるＡＢＳ−スクワレン酸化マーカーは、３−メチルブテナール、２−ヘプテナール、及び６−メチル−５−ヘプテン−２−オンである。
【００８８】
材料：
１）悪臭トレーサーの調製：
潜在的に干渉を引き起こす可能性がある繊維工場で布地に塗布された布地仕上げ剤を除去したポリコットン（ＰＣ）（５０／５０）布見本に、新たに作製した悪臭カクテルを塗布することによって、悪臭トレーサーを調製する。フルスケールの運転を行うのと同じ朝に、悪臭カクテルを２×５インチのＰＣ５０／５０布見本に塗布する。ポリコットン５０／５０布見本は、ＡＰＤ（Ａｃｃｕｒａｔｅ  Ｐｒｏｄｕｃｔ  Ｄｅｖｅｌｏｐｍｅｎｔ、Ｃｉｎｃｉｎｎａｔｉ，Ｏｈｉｏに位置する世界的な材料供給元）によって供給される。
【００８９】
Ｉｎｔｅｇｒａ  Ｖｉａｆｌｏ  Ａｕｔｏｍａｔｉｃ  Ｐｉｐｅｔｔｅを使用して、ＰＣ５０／５０布見本に悪臭カクテルを塗布する。９６チャネルヘッド（１２個のチップ８列）及び３００μＬのピペットチップを使用する。この試験では、１２個のチップ５列を使用して、布地トレーサーに悪臭カクテルを塗布する。各チップは、布地トレーサーに１５μＬを塗布する。布地トレーサーを含む１６の悪臭カクテルを調製し、洗浄試験の開始まで保管するためにアルミニウム箔に一緒に包む。
【００９０】
２）悪臭カクテル組成物：
以下の悪臭カクテルを、個々の化合物の混合によって調製した：
【００９１】
【表１】
2020029556.tif 000006
【００９２】
【表２】
2020029556.tif 000007
【００９３】
３）洗剤組成物：
個々の成分を混合した後、水溶性フィルム中に液体洗剤組成物を封入することによって、Ｍｏｎｏｓｏｌによって提供された７６μｍのＰＶＡ水溶性フィルムに封入された２５．４ｇの試験洗剤組成物を含む水溶性単位用量組成物を作製した。
【００９４】
【表３】
2020029556.tif 000008
＊ポリエチレングリコール主鎖（Ｐｌｕｒｉｏｌ  Ｅ６０００）と疎水性酢酸ビニル側鎖とを含むポリエチレングリコールグラフトポリマーであって、ポリエチレングリコール主鎖ポリマーのポリマー系４０重量％と、グラフト化酢酸ビニル側鎖のポリマー系６０重量％とを含む、ポリエチレングリコールグラフトポリマー
＊＊ＥＯ鎖当たり２０の平均エトキシル化度及び約６００のＭＷを有するポリエチレンイミン骨格を有するエトキシル化ポリエチレンイミン
【００９５】
試験結果：
以下の表に示すデータは、参照製剤を含むｎｉｌオリゴアミンに対して、このｎｉｌオリゴアミン参照製品に加えて配合された本発明に係るオリゴアミンであるＤＥＴＡをそれぞれ０．１％及び０．５％含む両方の実施例製剤では、ＡＢＳ及びスクワレンの酸化的副生成物が有意に減少したことを示す。
【００９６】
ＡＢＳ及びスクワレンの酸化的副生成物の有意な減少は、参照製剤に対して有意に改善された実施例の悪臭低減プロファイルを示す。
【００９７】
【表４】
2020029556.tif 000009
【図１】
2020029556.tif 000012
【外国語明細書】
2020029556.tif 000013
2020029556.tif 000014
2020029556.tif 000015
2020029556.tif 000016
2020029556.tif 000017
2020029556.tif 000018
2020029556.tif 000019
2020029556.tif 000020
2020029556.tif 000021
2020029556.tif 000022
2020029556.tif 000023
2020029556.tif 000024
2020029556.tif 000025
2020029556.tif 000026
2020029556.tif 000027
2020029556.tif 000028
2020029556.tif 000029
2020029556.tif 000030
2020029556.tif 000031
2020029556.tif 000032
2020029556.tif 000033
2020029556.tif 000034
2020029556.tif 000035
2020029556.tif 000036